【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
内側リング表面と、外側リング表面とを備える、開放水晶体嚢拡張リングであって、前記内側リング表面および前記外側リング表面は、一連の隆起平行多角形特徴が密集し、前記多角形特徴はそれぞれ、少なくとも１つの別個の縁を備える、リング。
【請求項２】
前記別個の縁は、鋭い縁である、請求項１に記載のリング。
【請求項３】
第１の端部と、第２の端部とをさらに備える、請求項１に記載のリング。
【請求項４】
前記第１の端部から延在する第１の弓状アームをさらに備える、請求項３に記載のリング。
【請求項５】
前記第２の端部から延在する第２の弓状アームをさらに備える、請求項３に記載のリング。
【請求項６】
前記第１の弓状アームはさらに、第１のアイレットを備える、請求項４に記載のリング。
【請求項７】
前記第２の弓状アームはさらに、第２のアイレットを備える、請求項５に記載のリング。
【請求項８】
前記第１の弓状アームおよび前記第２の弓状アームは、同一平面上にある、請求項５に記載のリング。
【請求項９】
前記特徴は、前記リングの中心に向かって、かつ前記リングの幾何学的中心から離れて、前記リングの前記内側表面および前記外側表面から突出する、請求項１に記載のリング。
【請求項１０】
前記特徴は、前記リングの中心に向かって、かつ前記リングの幾何学的中心から離れて、前記リングの内面および外面から突出する、請求項１に記載のリング。
【請求項１１】
前記外側表面はさらに、垂直特徴を備える、請求項１に記載のリング。
【請求項１２】
前記内側表面はさらに、垂直特徴を備える、請求項１に記載のリング。
【請求項１３】
前記特徴は、界面接触デバイスを安定させるように前記界面接触デバイス上の対向特徴と結合されることができる、請求項１に記載のリング。
【請求項１４】
前記界面接触デバイスは、眼内レンズインプラントまたはレンズ支持部インプラントである、請求項１３に記載のリング。
【請求項１５】
前記安定させることは、回転抵抗を含む、請求項１３に記載のリング。
【請求項１６】
前記開放水晶体嚢拡張リングに固定された第１の端部と、嚢切開縁を越えて延在する第２の端部とを有する固定要素をさらに備え、前記固定要素は、眼球の水晶体嚢の前方に位置付けられ、その間に位置付けられた環状前嚢フラップを伴う、請求項１に記載の開放水晶体嚢拡張リング。
【請求項１７】
前記固定要素の前記第２の端部は、眼球の強膜壁に取り付けられるように構成され、それによって、前記開放水晶体嚢拡張リングは、概して、眼球の後房の中で前記開放水晶体嚢を安定させてセンタリングする、請求項１６に記載の開放水晶体嚢拡張リング。
【手続補正２】
【補正対象書類名】明細書
【補正対象項目名】００２７
【補正方法】変更
【補正の内容】
【００２７】
本明細書で使用されるように、「外側被覆（オーバーモールディング）」または「外側被覆（オーバーモールド）される」という用語は、下層構造、この場合、デバイスの内側リング区分を外側被覆するために使用されることができる、全ての成形および鋳造プロセスを説明するために、本明細書の全体を通して使用される。いくつかの実施形態では、外側被覆は、製品復元力、構造、機能、および外観の改良を提供する射出成形プロセスによって達成されてもよい。いくつかの実施形態では、外側被覆は、鋳造プロセスによって達成されてもよい。
本発明は、例えば、以下を提供する。
（項目１）
内側リング表面と、外側リング表面とを備える、開放水晶体嚢拡張リングであって、前記内側リング表面および前記外側リング表面は、一連の隆起平行多角形特徴が密集し、前記多角形特徴はそれぞれ、少なくとも１つの別個の縁を備える、リング。
（項目２）
前記別個の縁は、鋭い縁である、項目１に記載のリング。
（項目３）
第１の端部と、第２の端部とをさらに備える、項目１に記載のリング。
（項目４）
前記第１の端部から延在する第１の弓状アームをさらに備える、項目３に記載のリング。
（項目５）
前記第２の端部から延在する第２の弓状アームをさらに備える、項目３に記載のリング。
（項目６）
前記第１の弓状アームはさらに、第１のアイレットを備える、項目４に記載のリング。
（項目７）
前記第２の弓状アームはさらに、第２のアイレットを備える、項目５に記載のリング。
（項目８）
前記第１の弓状アームおよび前記第２の弓状アームは、同一平面上にある、項目５に記載のリング。
（項目９）
前記特徴は、前記リングの中心に向かって、かつ幾何学的中心から離れて、前記リングの前記内側表面および前記外側表面から突出する、項目１に記載のリング。
（項目１０）
前記特徴は、前記リングの中心に向かって、かつ幾何学的中心から離れて、前記リングの内面および外面から突出する、項目１に記載のリング。
（項目１１）
前記外側表面はさらに、垂直特徴を備える、項目１に記載のリング。
（項目１２）
前記内側表面はさらに、垂直特徴を備える、項目１に記載のリング。
（項目１３）
前記特徴は、界面接触デバイスを安定させるように前記界面接触デバイス上の対向特徴と結合されることができる、項目１に記載のリング。
（項目１４）
前記界面接触デバイスは、眼内レンズインプラントまたはレンズ支持部インプラントである、項目１３に記載のリング。
（項目１５）
前記安定させることは、回転抵抗を含む、項目１３に記載のリング。
（項目１６）
ａ）
ｉ）挿入デバイスと、
ｉｉ）内側リング表面と、外側リング表面とを備える、水晶体嚢拡張リングであって、前記内側リング表面および前記外側リング表面は、一連の隆起平行多角形特徴が密集し、前記多角形特徴はそれぞれ、少なくとも１つの別個の縁を備える、リングと、
を提供するステップと、
ｂ）前記水晶体嚢拡張リングを前記挿入デバイスの中に装填するステップと、
ｃ）前記水晶体嚢拡張リングを眼球の水晶体嚢の中に挿入するステップと、
を含む、方法。
（項目１７）
前記水晶体嚢拡張リングはさらに、前記挿入デバイスに取り付けられた中心固定要素を備える、項目１６に記載の方法。
（項目１８）
前記中心固定要素は、前記水晶体嚢拡張リングの赤道領域に沿って係合する、２つの対向して延在する弓状アームを備える、項目１７に記載の方法。
（項目１９）
ａ）
ｉ）内側リング表面と、外側リング表面とを備える、水晶体嚢拡張リングであって、前記内側リング表面および前記外側リング表面は、一連の隆起平行多角形特徴が密集し、前記多角形特徴はそれぞれ、少なくとも１つの別個の縁を備える、リングと、
ｉｉ）前記水晶体嚢拡張リングに取り付けられた伸長固定要素であって、前記水晶体嚢拡張リングに固定された第１の端部と、第２の自由端とを有する、固定要素と、
を提供するステップと、
ｂ）前記伸長固定要素を伴って、後嚢と環状前嚢フラップとの間で前記水晶体嚢拡張リングを眼球の水晶体嚢に埋め込むステップと、
を含む、方法。
（項目２０）
前記埋め込むステップは、前記水晶体嚢拡張リングに固定された第１の端部と、嚢切開縁を越えて延在し、前記眼球の水晶体嚢の前方に位置付けられた第２の端部とを有し、その間に位置付けられた環状前嚢フラップを伴う、前記固定要素を位置付けるステップを含む、項目１９に記載の方法。
（項目２１）
前記固定要素の前記第２の自由端を眼球の強膜壁に取り付けるステップをさらに含み、それによって、前記水晶体嚢拡張リングは、概して、眼球の後房の中で前記水晶体嚢を安定させてセンタリングする、項目２０に記載の方法。